(57)【要約】  【課題】  出力信号のノイズ成分を低減することができるパルス変調信号復調回路を提供する。  【解決手段】  パルス変調信号ＰＭＳの連続パルス数に応じたパルス幅のパルスを有する第１パルス信号を生成する積分回路ＩＮＴ１と、第１パルス信号から他のパルスから独立しており尚かつ所定のパルス幅以下のパルスを除去し、第１パルス信号の他のパルスから独立しており尚かつ所定のパルス幅より大きいパルスに基づいてそのパルスのパルス幅に応じたパルスを有し、第１パルス信号の独立していないパルス同士を結合して前記独立していないパルスのパルス幅に応じたパルスを有する第２パルス信号を生成する積分回路ＩＮＴ２と、第２パルス信号のパルス幅をそのパルス幅に応じて調整した信号である第３パルス信号を生成する積分回路ＩＮＴ３と備えるパルス変調信号復調回路。【選択図】      図５
2006025135.tif 000002
【特許請求の範囲】
【請求項１】
パルス変調信号を復調するパルス変調信号復調回路であって、
前記パルス変調信号のパルスを検知すると第１パルス信号のパルスを立ち上げ、その後前記パルス変調信号においてパルスが無い状態が第１の所定期間続くと前記第１パルス信号のパルスを立ち下げる第１フィルタ回路と、
前記第１フィルタ回路から出力される前記第１パルス信号のパルスが立ち上がってからその立ち上がったパルスが立ち下がらない状態が前記第１の所定期間よりも長い第２の所定期間続くと第２パルス信号のパルスを立ち上げ、その後前記第１パルス信号においてパルスが無い状態が前記第１の所定期間よりも長い第３の所定期間続くと前記第２パルス信号のパルスを立ち下げる第２フィルタ回路とを備えることを特徴とするパルス変調信号復調回路。
【請求項２】
パルス変調信号を復調するパルス変調信号復調回路であって、
前記パルス変調信号の連続パルス数に応じたパルス幅のパルスを有する第１パルス信号を生成する第１積分回路と、
前記第１パルス信号から他のパルスから独立しており尚かつ所定のパルス幅以下のパルスを除去し、前記第１パルス信号の他のパルスから独立しており尚かつ所定のパルス幅より大きいパルスに基づいてそのパルスのパルス幅に応じたパルスを有し、前記第１パルス信号の独立していないパルス同士を結合して前記独立していないパルスのパルス幅に応じたパルスを有する第２パルス信号を生成する第２積分回路と、
前記第２パルス信号のパルス幅をそのパルス幅に応じて調整した信号である第３パルス信号を生成する第３積分回路と備えることを特徴とするパルス変調信号復調回路。
【請求項３】
パルス変調信号である光信号を受光する受光素子と、前記受光素子から出力される電流信号に基づく信号を入力する請求項１に記載のパルス変調信号復調回路とを備えることを特徴とする受光回路。
【請求項４】
パルス変調信号である光信号を受光する受光素子と、前記受光素子から出力される電流信号に基づく信号を入力する請求項２に記載のパルス変調信号復調回路とを備えることを特徴とする受光回路。
【請求項５】
請求項３に記載の受光回路と、前記受光回路から出力される信号に基づいて機器全体を制御する制御部とを備えることを特徴とする電気機器。
【請求項６】
請求項４に記載の受光回路と、前記受光回路から出力される信号に基づいて機器全体を制御する制御部とを備えることを特徴とする電気機器。
【発明の詳細な説明】
【技術分野】
【０００１】
本発明は、パルス変調信号を復調するパルス変調信号復調回路並びにそれを備えた受光回路及び電気機器に関する。
【背景技術】
【０００２】
従来の受光回路の一構成例を図７に示し、赤外線リモコン送信機のコード信号及び当該コード信号をパルス変調した信号である光信号並びに図７に示す受光回路の各部信号のタイミングチャートを図８に示す。図７に示す受光回路は、赤外線リモコン送信機（図示せず）から送信される光信号を受光する受光回路であって、フォトダイオード１０１と、電流−電圧変換回路１０２と、アンプ１０３と、バンドパスフィルタ１０４と、比較器１０５と、定電圧源１０６と、アナログ積分回路１０７と、比較器１０８と、定電圧源１０９と、ＮＰＮ形トランジスタ１１０と、プルアップ抵抗１１１と、出力端子１１２とを備えている。
【０００３】
赤外線リモコン送信機（図示せず）から送信される光信号ＬＳはフォトダイオード１０１によって電流信号に変換され、その電流信号が電流−電圧変換回路１０２によって電圧信号に変換され、その電圧信号がアンプ１０３によって増幅された後バンドパスフィルタ１０４に入力される。赤外線リモコン送信機（図示せず）から送信される光信号ＬＳがコード信号ＣＳをパルス変調したパルス変調信号であるので、バンドパスフィルタ１０４の入力信号Ｖｉ１０４も図８に示すようなパルス変調信号となる。
【０００４】
バンドパスフィルタ１０４は、入力した信号の所定範囲の周波数成分のみを通過させ比較器１０５の非反転端子に送出する。比較器１０５は、バンドパスフィルタ１０４の出力信号Ｖｏ１０４と定電圧源１０６から出力される定電圧Ｖｃ１０６との比較結果である比較信号Ｖｏ１０５をアナログ積分回路１０７に出力する。
【０００５】
アナログ積分回路１０７は、コンデンサを有するアナログ回路である。比較信号Ｖｏ１０５がＨｉｇｈレベルである場合は第１の時定数で前記コンデンサが充電され、比較信号Ｖｏ１０５がＬｏｗレベルである場合は第１の時定数より小さい第２の時定数で前記コンデンサが放電される。そして、前記コンデンサの両端電圧がアナログ積分回路１０７の出力信号Ｖｏ１０７となる。アナログ積分回路１０７の出力信号Ｖｏ１０７は、比較器１０８の非反転入力端子に送出される。比較器１０８は、アナログ積分回路１０７の出力信号Ｖｏ１０７と定電圧源１０９から出力される定電圧に基づく電圧Ｖｃ１０９との比較結果である比較信号Ｖｏ１０８をトランジスタ１１０のベースに出力する。
【０００６】
トランジスタ１１０のエミッタは接地され、トランジスタ１１０のコレクタはプルアップ抵抗１１１に接続され、トランジスタ１１０のコレクタとプルアップ抵抗１１１との接続ノードに出力端子１１２が接続されるので、出力端子１１２から出力される信号Ｖｏ１１２は、比較信号Ｖｏ１０８の反転信号になる。
【０００７】
このように、図７に示す受光回路は、パルス変調信号である光信号ＬＳを受光し、光信号ＬＳのパルス発生に対応してＬｏｗレベル、光信号ＬＳのパルス不発生に対応してＨｉｇｈレベルとなる信号を出力することができる。
【特許文献１】特開平９−２８４２３１号公報
【発明の開示】
【発明が解決しようとする課題】
【０００８】
しかしながら、ノイズのために図９のタイミングチャートに示すように比較信号Ｖｏ１０５にパルスの欠落１１４やパルスの誤発生１１５が生じた場合に、図７に示す受光回路では、アナログ積分回路１０７と比較器１０８と定電圧源１０９とから成るパルス変調信号復調回路１１３の出力信号すなわち比較信号Ｖｏ１０８にパルスの欠落１１４に起因するノイズ成分１１６やパルスの誤発生１１５に起因するノイズ成分１１７が残ってしまい、その結果出力端子１１２から出力される信号Ｖｏ１１２にパルスの欠落１１４に起因するノイズ成分１１８やパルスの誤発生１１５に起因するノイズ成分１１９が残ってしまうという問題があった。
【０００９】
なお、特許文献１において提案されている光信号復調装置では、デジタル計数回路がクロック信号に同期したパルス信号の数を数え、数えたパルス数が所定の数を越えた場合に当該パルス信号に基づいてコード信号を復調している。このため、特許文献１において提案されている光信号復調装置は、パルス数が所定の数以下であるパルスの誤発生に起因するノイズ成分を除去することはできるが、パルスの欠落に起因するノイズ成分を除去することはできなかった。
【００１０】
本発明は、上記の問題点に鑑み、出力信号のノイズ成分を低減することができるパルス変調信号復調回路並びにそれを備えた受光回路及び電気機器を提供することを目的とする。
【課題を解決するための手段】
【００１１】
上記目的を達成するために本発明に係るパルス変調信号復調回路は、パルス変調信号のパルスを検知すると第１パルス信号のパルスを立ち上げ、その後前記パルス変調信号においてパルスが無い状態が第１の所定期間続くと前記第１パルス信号のパルスを立ち下げる第１フィルタ回路と、前記第１フィルタ回路から出力される前記第１パルス信号のパルスが立ち上がってからその立ち上がったパルスが立ち下がらない状態が前記第１の所定期間よりも長い第２の所定期間続くと第２パルス信号のパルスを立ち上げ、その後前記第１パルス信号においてパルスが無い状態が前記第１の所定期間よりも長い第３の所定期間続くと前記第２パルス信号のパルスを立ち下げる第２フィルタ回路とを備える。
【００１２】
このような構成によると、第１フィルタ回路はパルス変調信号のパルスを独立したグループ（或るパルスと別のパルスとが所定の期間以上離れている場合、或るパルスと別のパルスとは別のグループに属することになる）毎に結合した第１パルス信号を生成し、第２フィルタ回路は、第１パルス信号から所定のパルス幅以下のパルスを除去し、第１パルス信号のパルス間間隔が所定値以下あれば間隔が所定値以下であるパルス同士を結合させて第２パルス信号を生成する。これにより、パルス変調信号のパルスの誤発生やパルスの欠落に起因するノイズを低減することができるので、パルス変調信号復調回路の出力信号のノイズ成分を低減することができる。
【００１３】
また、上記目的を達成するために本発明に係るパルス変調信号復調回路は、パルス変調信号を復調するパルス変調信号復調回路であって、前記パルス変調信号の連続パルス数に応じたパルス幅のパルスを有する第１パルス信号を生成する第１積分回路と、前記第１パルス信号から他のパルスから独立（所定の期間以上離れていることをいう）しており尚かつ所定のパルス幅以下のパルスを除去し、前記第１パルス信号の他のパルスから独立しており尚かつ所定のパルス幅より大きいパルスに基づいてそのパルスのパルス幅に応じたパルスを有し、前記第１パルス信号の独立していないパルス同士を結合して前記独立していないパルスのパルス幅に応じたパルスを有する第２パルス信号を生成する第２積分回路と、前記第２パルス信号のパルス幅をそのパルス幅に応じて調整した信号である第３パルス信号を生成する第３積分回路と備える。
【００１４】
このような構成によると、第１積分回路はパルス変調信号の連続パルス数に応じたパルス幅のパルスを有する第１パルス信号を生成し、第２積分回路は第１パルス信号から所定のパルス幅以下のパルスを除去し、第１パルス信号のパルス間間隔が所定値以下あれば間隔が所定値以下であるパルス同士を結合させて第２パルス信号を生成し、第３積分回路は第２パルス信号のパルス幅をそのパルス幅に応じて調整した信号である第３パルス信号を生成する。これにより、パルス変調信号のパルスの誤発生やパルスの欠落に起因するノイズを低減することができるので、パルス変調信号復調回路の出力信号のノイズ成分を低減することができる。
【００１５】
また、本発明に係る受光回路は、パルス変調信号である光信号を受光する受光素子と、前記受光素子から出力される電流信号に基づく信号を入力する上記いずれかの構成のパルス変調信号復調回路とを備える構成としている。
【００１６】
このような構成によると、受光回路から出力される出力信号のノイズ成分を低減することができるので、光信号到達距離（受光回路から出力される出力信号のエラー率が許容上限値と一致する場合の光信号送信機と受光回路との距離）が長くなる。
【００１７】
また、本発明に係る電気機器は、上記いずれかの構成の受光回路と、前記受光回路から出力される信号に基づいて機器全体を制御する制御部とを備える構成としている。
【００１８】
このような構成によると、光信号到達距離が長くなるので、電気機器の使い勝手が向上する。
【発明の効果】
【００１９】
本発明によると、出力信号のノイズ成分を低減することができるパルス変調信号復調回路並びにそれを備えた受光回路及び電気機器を実現することができる。
【発明を実施するための最良の形態】
【００２０】
本発明の一実施形態について図面を参照して以下に説明する。本発明に係る受光回路の一構成例を図１に示す。図１に示す受光回路は、フォトダイオード１と、電流−電圧変換回路２と、ゲインが可変するアンプ３と、バンドパスフィルタ４と、オペアンプ５と、定電圧源６と、比較器７と、定電圧源８と、ＡＧＣ回路９と、発振器１０と、パルス変調信号復調回路１１と、トランジスタ１２と、プルアップ抵抗１３と、出力端子１４とによって構成されている。
【００２１】
赤外線リモコン送信機（図示せず）から送信される光信号はフォトダイオード１によって電流信号に変換され、その電流信号が電流−電圧変換回路２によって電圧信号に変換され、その電圧信号がアンプ３によって増幅された後バンドパスフィルタ４に入力される。
【００２２】
バンドパスフィルタ４は、入力した信号の所定範囲の周波数成分のみを通過させオペアンプ５の非反転入力端子及び比較器７の非反転入力端子に送出する。オペアンプ５は、バンドパスフィルタ４の出力信号と定電圧源６から出力される定電圧との比較結果を増幅してパルス変調信号復調回路１１に出力する。比較器７は、バンドパスフィルタ４の出力信号と定電圧源８から出力される定電圧との比較結果をＡＧＣ回路９に出力する。ＡＧＣ回路９は比較器７の出力に応じてアンプ３のゲインを制御する。
【００２３】
パルス変調信号復調回路１１は、オペアンプ５の出力信号と発振器１０が発振するクロック信号とを入力する。なお、赤外線リモコン送信機（図示せず）からフォトダイオード１に送られる光信号がパルス変調信号であるので、オペアンプ５の出力信号もパルス変調信号となる。パルス変調信号復調回路１１は、発振器１０が発振するクロック信号を用いてパルス変調信号であるオペアンプ５の出力信号を復調し、その復調した信号をトランジスタ１２のベースに出力する。
【００２４】
トランジスタ１２のエミッタは接地され、トランジスタ１２のコレクタはプルアップ抵抗１３に接続され、トランジスタ１３のコレクタとプルアップ抵抗１３との接続ノードに出力端子１４が接続されるので、出力端子１４から出力される信号は、パルス変調信号復調回路１１から出力される信号の反転信号になる。
【００２５】
このように、図１に示す受光回路は、パルス変調信号である光信号を受光し、その光信号のパルス発生に対応してＬｏｗレベル、その光信号のパルス不発生に対応してＨｉｇｈレベルとなるコード信号を出力することができる。また、詳細を後述するパルス変調信号復調回路１１が出力信号のノイズ成分を低減することができる回路であるので、図１に示す受光回路における光信号到達距離（受光回路から出力される出力信号のエラー率が許容上限値と一致する場合の光信号送信機と受光回路との距離）が長くなる。
【００２６】
ここで、本発明の特徴部分であるパルス変調信号復調回路１１と、パルス変調信号復調回路１１で用いられるクロック信号を発振する発振器１０とについて詳細に説明する。
【００２７】
まず、発振器１０について説明する。発振器１０の一構成例を図２に示す。図２に示す発振器においては、数段のインバータ回路がループ接続され、各インバータ回路の出力端がコンデンサを介して接地され、駆動電圧ＶDDが印加される端子と各インバータ回路の高電圧側電源端子との間にＰチャネル型ＭＯＳトランジスタが設けられ、各インバータ回路の低電圧側電源端子とグランドとの間にＮチャネル型ＭＯＳトランジスタが設けられ、各Ｐチャネル型ＭＯＳトランジスタのゲートにバイアス電圧ＢＩＡＳＰを供給する電圧源（図示せず）が設けられ、各Ｎチャネル型ＭＯＳトランジスタのゲートにバイアス電圧ＢＩＡＳＮを供給する電圧源（図示せず）が設けられる。
【００２８】
続いてパルス変調信号復調回路１１について説明する。パルス変調信号復調回路１１の一構成例を図３に示し、赤外線リモコン送信機（図示せず）のコード信号ＣＳ及び当該コード信号をパルス変調した信号である光信号ＬＳ並びに図３に示すパルス変調信号復調回路の各部信号のタイミングチャートを図４に示す。なお、赤外線リモコン送信機（図示せず）のコード信号ＣＳのＨｉｇｈレベル区間及びＬｏｗレベル区間はそれぞれ６００μｓが一般的であり、光信号ＬＳのパルス周期は３８ｋＨｚ前後が一般的である。したがって、光信号ＬＳの連続パルス数は２０個程度が一般的であるが、ここでは説明を簡単にするために光信号ＬＳの連続パルス数を１０個としている。
【００２９】
図３に示すパルス変調信号復調回路は、フリップフロップＦＦ１〜ＦＦ２８と、バッファＢ１〜Ｂ５と、ＮＡＮＤゲートＮＡ１〜ＮＡ４と、ＮＯＲゲートＮＯ１〜ＮＯ３とによって構成されている。フリップフロップＦＦ１〜ＦＦ１５と、ＮＡＮＤゲートＮＡ１〜ＮＡ３と、ＮＯＲゲートＮＯ１とによってフィルタ回路Ｆ１が構成され、フリップフロップＦＦ１８〜ＦＦ２８と、ＮＡＮＤゲートＮＡ４と、ＮＯＲゲートＮＯ２及びＮＯ３とによってフィルタ回路Ｆ２が構成され、フリップフロップＦＦ１６及びＦＦ１７と、バッファＢ３及びＢ４とによって分周回路Ｄ１が構成される。
【００３０】
フィルタ回路Ｆ１の入力端はフリップフロップＦＦ１のデータ入力端子であり、フィルタ回路Ｆ１の出力端はフリップフロップＦＦ１５の非反転出力端子である。フリップフロップＦＦ１〜ＦＦ１４のクロック入力端子に発振器１０から発振されるクロック信号ＣＫが入力される。オペアンプ５の出力信号であってフリップフロップＦＦ１のデータ入力端子に供給されるパルス変調信号ＰＭＳのパルス（Ｈｉｇｈレベル区間）１つがクロック信号ＣＫの４クロック分（＝４周期）と一致するように、クロック信号ＣＫの周波数が定められている（図４（ｂ）参照）。赤外線リモコン送信機（図示せず）から送信される光信号ＬＳのパルス周期は３８〜４０ｋＨｚが一般的であるので、本実施形態ではクロック信号ＣＫの周波数を３０４ｋＨｚにする。フィルタ回路Ｆ１において、パルス変調信号ＰＭＳがＨｉｇｈレベルになるとフリップフロップＦＦ１５がセットされ、パルス変調信号ＰＭＳがＬｏｗレベルである状態がクロック信号ＣＫの１２クロック分連続するとフリップフロップＦＦ１５がリセットされる。したがって、フィルタ回路Ｆ１は主に積分回路として動作し、図４（ａ）に示す出力信号ＳＯF1を出力する。
【００３１】
分周回路Ｄ１は、クロック信号ＣＫを入力し、クロック信号ＣＫを４分周した周波数７６ｋＨｚのクロック信号をフィルタ回路Ｆ２に出力する。
【００３２】
フィルタ回路Ｆ２の入力端はフリップフロップＦＦ１８のデータ入力端子であり、フィルタ回路Ｆ２の出力端はフリップフロップＦＦ２８の非反転出力端子である。なお、フィルタ回路Ｆ２の出力端がパルス変調信号復調回路１１の出力端である。フリップフロップＦＦ１８〜ＦＦ２７のクロック入力端子にクロック信号ＣＫ４が入力される。フィルタ回路Ｆ２において、フィルタ回路Ｆ１の出力信号ＳＯF1がＨｉｇｈレベルである状態がクロック信号ＣＫ４の２クロック分連続するとフリップフロップＦＦ２８がセットされ、フィルタ回路Ｆ１の出力信号ＳＯF1がＬｏｗレベルである状態がクロック信号ＣＫ４の８クロック分連続するとフリップフロップＦＦ２８がリセットされる。したがって、フィルタ回路Ｆ２は、フィルタ回路Ｆ１の出力信号ＳＯF1からパルス変調信号ＰＭＳの単独パルスの誤発生又は２連続パルスの誤発生１５に起因するノイズ成分１９と、パルス変調信号ＰＭＳの単独パルスの欠落、２連続パルスの欠落、又は３連続パルスの欠落１７に起因するノイズ成分２０とを除去し、図４（ａ）に示す出力信号ＳＯF2を出力する。一方、パルス変調信号ＰＭＳのＭ（ただし、Ｍは３以上の整数）連続パルスの誤発生１６に起因するノイズ成分２１と、パルス変調信号ＰＭＳのＮ（ただし、Ｎは４以上の整数）連続パルスの欠落１８に起因するノイズ成分２２とは、出力信号ＳＯF2に残存する。
【００３３】
なお、フィルタ回路Ｆ１及びフィルタ回路Ｆ２それぞれに設けるフリップフロップの段数を変えることで、上記ノイズ成分の除去限界を変えることができる。
【００３４】
また、図３に示すパルス変調信号復調回路は、クロック信号ＣＫの周波数に多少のばらつきがあってもパルス変調信号を復調することができる。例えば、クロック信号ＣＫの周波数が３０４ｋＨｚではなく２２８ｋＨｚになった場合、フィルタ回路Ｆ２は、フィルタ回路Ｆ１の出力信号ＳＯF1からパルス変調信号ＰＭＳの単独パルスの誤発生又は２連続パルスの誤発生１５に起因するノイズ成分１９と、パルス変調信号ＰＭＳの単独パルスの欠落、２連続パルスの欠落、又は３連続パルスの欠落１７に起因するノイズ成分２０を除去し、更に４連続パルスの欠落１８に起因するノイズ成分も除去する。このように、図３に示すパルス変調信号復調回路は、クロック信号ＣＫの周波数に多少のばらつきがあってもパルス変調信号を復調することができるので、図３に示すパルス変調信号復調回路と発振器１０とを独立して設計することができる。
【００３５】
上述した説明から明らかなように、図３に示すパルス変調信号復調回路は、出力信号のノイズ成分を低減することができる。また、図３に示すパルス変調信号復調回路は、デジタル回路であるので、図７に示す受光回路が具備するパルス変調信号復調回路（アナログ回路）よりも回路面積を小さくすることが可能である。
【００３６】
次に、パルス変調信号復調回路１１の他の構成例を図５に示し、赤外線リモコン送信機（図示せず）のコード信号ＣＳ及び当該コード信号をパルス変調した信号である光信号ＬＳ並びに図５に示すパルス変調信号復調回路の各部信号のタイミングチャートを図６に示す。ここで、図６（ａ）はコード信号ＣＳが常にＬｏｗレベルであり尚かつノイズによってパルス変調信号ＰＭＳにパルスの誤発生がある場合のタイムチャートであり、図６（ｂ）はコード信号ＣＳがＨｉｇｈレベルとＬｏｗレベルが切り替わる信号であり尚かつノイズによってパルス変調信号ＰＭＳにパルスの欠落がある場合のタイムチャートである。また、説明を簡単にするために図６（ｂ）における光信号ＬＳの連続パルス数を８個としている。
【００３７】
なお、パルス変調信号復調回路１１を図５に示す構成にした場合は、発振器１０を図２に示す構成の発振器ではなく図６のタイムチャートに示す３つのクロック信号ＣＫ１〜ＣＫ３を発振する発振器とする。
【００３８】
図５に示すパルス変調信号復調回路は、フリップフロップＦＦ３１〜ＦＦ４０及びＳＲＦＦ１〜ＳＲＦＦ３と、バッファＢ１１〜Ｂ１３と、ＮＡＮＤゲートＮＡ１１〜ＮＡ１３と、ＮＯＲゲートＮＯ１１及びＮＯ１２と、ＯＲゲートＯ１及びＯ２とによって構成されている。フリップフロップＳＲＦＦ１及びＳＲＦＦ２と、ＮＡＮＤゲートＮＡ１１及びＮＡ１２と、ＯＲゲートＯ１とによって積分回路ＩＮＴ１が構成され、フリップフロップＦＦ３１〜ＦＦ３７及びＳＲＦＦ３と、ＮＡＮＤゲートＮＡ１３と、ＮＯＲゲートＮＯ１１及びＮＯ１２とによって積分回路ＩＮＴ２が構成され、フリップフロップＦＦ３８〜ＦＦ４０と、ＯＲゲートＯ２とによって積分回路ＩＮＴ３が構成される。
【００３９】
積分回路ＩＮＴ１は、パルス変調信号ＰＭＳとクロック信号ＣＫ１及びＣＫ２とを入力し、パルス変調信号ＰＭＳがＬｏｗレベルからＨｉｇｈレベルに切り替わるとＬｏｗレベルからＨｉｇｈレベルに切り替わり、その後パルス変調信号ＰＭＳがＬｏｗレベルである状態においてフリップフロップＳＲＦＦ１及びＳＲＦＦ２がともにリセットされると、ＨｉｇｈレベルからＬｏｗレベルに切り替わる信号ＳＯINT1を出力する。積分回路ＩＮＴ１の出力信号ＳＯINT1は、パルス変調信号ＰＭＳの連続パルス数に応じたパルス幅のパルスを有する信号になる（図６参照）。
【００４０】
積分回路ＩＮＴ２において、クロック信号ＣＫ３の１クロック目及び２クロック目において積分回路ＩＮＴ１の出力信号ＳＯINT1がＨｉｇｈレベルであればフリップフロップＳＲＦＦ３がセットされるが、クロック信号ＣＫ３の４クロック目及び５クロック目において積分回路ＩＮＴ１の出力信号ＳＯINT1がＬｏｗレベルであればフリップフロップＳＲＦＦ３がリセットされる。これにより、フリップフロップＳＲＦＦ３の非反転出力端子から出力される信号即ち積分回路ＩＮＴ２の出力信号ＳＯINT2は、積分回路ＩＮＴ１の出力信号ＳＯINT1から他のパルスから独立（所定の期間以上離れていることをいう）しており尚かつ所定のパルス幅以下のパルスを除去し、積分回路ＩＮＴ１の出力信号ＳＯINT1の他のパルスから独立しており尚かつ所定のパルス幅より大きいパルスに基づいて前記他のパルスから独立しており尚かつ所定のパルス幅より大きいパルスのパルス幅に応じたパルスを有し、積分回路ＩＮＴ１の出力信号ＳＯINT1の独立していないパルス同士を結合して前記独立していないパルスのパルス幅に応じたパルスを有する。
【００４１】
積分回路ＩＮＴ３において、クロック信号ＣＫ３がＨｉｇｈレベルのときに積分回路ＩＮＴ２の出力信号ＳＯINT2がＨｉｇｈレベルであれば、フリップフロップＦＦ４０がセットされる。また、積分回路ＩＮＴ２の出力信号ＳＯINT2がＬｏｗレベルである状態がクロック信号ＣＫ３の３クロック分連続するとフリップフロップＦＦ４０がリセットされる。したがって、積分回路ＩＮＴ３の出力信号ＳＯINT3は、積分回路ＩＮＴ２の出力信号ＳＯINT2のパルス幅を当該パルス幅に応じて調整した信号になる（図６参照）。
【００４２】
図６のタイムチャートから明らかなように、図５に示すパルス変調信号復調回路は、パルス変調信号ＰＭＳのパルスの誤発生やパルスの欠落に起因するノイズを低減することができるので、出力信号ＳＯINT3のノイズ成分を低減することができる。また、図５に示すパルス変調信号復調回路は、図３に示すパルス変調信号復調回路に比べて具備するフリップフロップの数が少ないので、フリップフロップの回路面積が大きい場合は図３に示すパルス変調信号復調回路に比べて大幅に小型化を図ることができる。
【００４３】
なお、本発明に係る受光回路は、当該受光回路から出力される信号に基づいて機器全体を制御する制御部を備えた各種電気機器（例えば、ＴＶやオーディオ機器等）に搭載することができる。また、本実施形態では受光素子としてフォトダイオードを用いたが、フォトトランジスタ等の他の受光素子を用いても構わない。
【図面の簡単な説明】
【００４４】
【図１】は、本発明に係る受光回路の一構成例を示す図である。
【図２】は、図１に示す受光回路が具備する発振器の一構成例を示す図である。
【図３】は、図１に示す受光回路が具備するパルス変調信号復調回路の一構成例を示す図である。
【図４】は、コード信号及び光信号並びに図３に示すパルス変調信号復調回路の各部信号のタイムチャートである。
【図５】は、図１に示す受光回路が具備するパルス変調信号復調回路の他の構成例を示す図である。
【図６】は、コード信号及び光信号並びに図５に示すパルス変調信号復調回路の各部信号のタイムチャートである。
【図７】は、従来の受光回路の一構成例を示す図である。
【図８】は、リモコン送信機から送信される光信号及びノイズが無い場合の図７に示す受光回路の各部信号のタイミングチャートを示す図である。
【図９】は、リモコン送信機から送信される光信号及びノイズが有る場合の図７に示す受光回路の各部信号のタイミングチャートを示す図である。
【符号の説明】
【００４５】
１  受光素子
２  電流−電圧変換回路
３  アンプ
４  バンドパスフィルタ
５  オペアンプ
６  定電圧源
７  比較器
８  定電圧源
９  ＡＧＣ回路
１０  発振器
１１  パルス変調信号復調回路
１２  トランジスタ
１３  プルアップ抵抗
１４  出力端子
【図１】
2006025135.tif 000003
【図２】
2006025135.tif 000004
【図３】
2006025135.tif 000005
【図４】
2006025135.tif 000006
【図５】
2006025135.tif 000007
【図６】
2006025135.tif 000008
【図７】
2006025135.tif 000009
【図８】
2006025135.tif 000010
【図９】
2006025135.tif 000011